(57)【要約】【課題】所定地域に由来する物に対応する形状からなる地域葉書を利用した葉書を利用し、かつ、当該所定地域に関する地域情報を有するＷＥＢサイトを容易に閲覧すること。【解決手段】葉書利用方法は、所定地域に由来する物に対応する形状からなる地域葉書１０であって、ＩＤ情報を含むアドレス情報に対応するコード情報１１が印字された地域葉書１０を準備する工程と、ＷＥＢ接続部２２と表示部２１を有するコード読取装置２０によって、コード情報１１を読み取る工程と、を備えている。葉書利用方法は、コード読取装置２０のＷＥＢ接続部２２によって、コード読取装置２０がアドレス情報に対応し、所定地域に関する地域情報を有するＷＥＢサイトに接続される工程と、コード読取装置２０の表示部２１によって、ＷＥＢサイトが表示される工程も備えている。【選択図】図１
2011013826.tif 000002
【特許請求の範囲】
【請求項１】
所定地域に由来する物に対応する形状からなる地域葉書であって、ＩＤ情報を含むアドレス情報に対応するコード情報が印字された地域葉書を準備する工程と、
ＷＥＢ接続部と表示部を有するコード読取装置によって、前記コード情報を読み取る工程と、
前記コード読取装置の前記ＷＥＢ接続部によって、該コード読取装置が前記アドレス情報に対応し、前記所定地域に関する地域情報を有するＷＥＢサイトに接続される工程と、
前記コード読取装置の前記表示部によって、前記ＷＥＢサイトが表示される工程と、
を備えたことを特徴とする葉書利用方法。
【請求項２】
前記ＷＥＢサイトに接続される工程は、前記ＷＥＢ接続部によって、アドレス情報のＩＤ情報に対応された情報を有するＷＥＢサイトに接続される工程、を有することを特徴とする請求項１に記載の葉書利用方法。
【請求項３】
前記アドレス情報のＩＤ情報に対応された情報は、アドレス情報のＩＤ情報に対応されたクーポン情報を含むことを特徴とする請求項２に記載の葉書利用方法。
【請求項４】
前記アドレス情報のＩＤ情報に対応された情報は、アドレス情報のＩＤ情報に対応された当落情報を含むことを特徴とする請求項２または３のいずれかに記載の葉書利用方法。
【請求項５】
前記アドレス情報のＩＤ情報に対応された情報は、アドレス情報のＩＤ情報に対応されたキャンペーンに応募するための情報を含むことを特徴とする請求項２乃至４のいずれか１項に記載の葉書利用方法。
【請求項６】
前記アドレス情報のＩＤ情報に対応された情報は、アドレス情報のＩＤ情報に対応されたデジタルコンテンツを前記コード読取装置にダウンロードするための情報を含むことを特徴とする請求項２乃至５のいずれか１項に記載の葉書利用方法。
【請求項７】
前記コード情報はＱＲコードからなることを特徴とする請求項１乃至６のいずれか１項に記載の葉書利用方法。
【請求項８】
前記コード読取装置は携帯電話からなることを特徴とする請求項１乃至７のいずれか１項に記載の葉書利用方法。
【請求項９】
所定地域に由来する物に対応する形状からなる地域葉書であって、ＩＤ情報を含むアドレス情報に対応するコード情報が印字された地域葉書と、
コード情報を読み取る読取部と、該読取部からコード情報のアドレス情報を受け取ることによって当該アドレス情報に対応するＷＥＢサイトに接続するＷＥＢ接続部と、ＷＥＢ接続部によって接続されたＷＥＢサイトが表示される表示部とを有するコード読取装置と、
前記アドレス情報に対応するＷＥＢサイトであって、所定地域に関する地域情報を有するＷＥＢサイトに関する情報が記憶された外部コンピュータと、
を備えたことを特徴とする葉書利用システム。
【請求項１０】
前記ＷＥＢ接続部は、アドレス情報のＩＤ情報に対応された情報を有するＷＥＢサイトに接続することを特徴とする請求項９に記載の葉書利用システム。
【発明の詳細な説明】
【技術分野】
【０００１】
本発明は、葉書を利用する葉書利用方法と、葉書を利用する葉書利用システムに関する。
【背景技術】
【０００２】
従来から、ＱＲコードなどの二次元コードが印字された名刺が知られている（特許文献１参照）。そして、特許文献１に記載された発明では、名刺に印字された二次元コードが、会社名、役職名、氏名、住所、電話番号、ファクシミリ番号、携帯番号、電子メールアドレスなどの文字に関する情報を符号化したものとなっている。
【先行技術文献】
【特許文献】
【０００３】
【特許文献１】特開２００３−１５４７７４号公報
【発明の概要】
【発明が解決しようとする課題】
【０００４】
しかしながら、所定地域に由来する物に対応する形状からなる地域葉書や、当該地域葉書に対応するＷＥＢサイトのアドレス情報が付された地域葉書は全く知られていなかった。
【０００５】
本発明は、このような点を考慮してなされたものであり、所定地域に由来する物に対応する形状からなる地域葉書を利用するとともに、当該所定地域に関する地域情報を有するＷＥＢサイトを容易に閲覧することができる葉書利用方法および葉書利用システムを提供することを目的とする。
【課題を解決するための手段】
【０００６】
本発明による葉書利用方法は、
所定地域に由来する物に対応する形状からなる地域葉書であって、ＩＤ情報を含むアドレス情報に対応するコード情報が印字された地域葉書を準備する工程と、
ＷＥＢ接続部と表示部を有するコード読取装置によって、前記コード情報を読み取る工程と、
前記コード読取装置の前記ＷＥＢ接続部によって、該コード読取装置が前記アドレス情報に対応し、前記所定地域に関する地域情報を有するＷＥＢサイトに接続される工程と、
前記コード読取装置の前記表示部によって、前記ＷＥＢサイトが表示される工程と、
を備えている。
【０００７】
本発明による葉書利用方法において、
前記ＷＥＢサイトに接続される工程は、前記ＷＥＢ接続部によって、アドレス情報のＩＤ情報に対応された情報を有するＷＥＢサイトに接続される工程、を有してもよい。
【０００８】
本発明による葉書利用方法において、
前記アドレス情報のＩＤ情報に対応された情報は、アドレス情報のＩＤ情報に対応されたクーポン情報を含んでもよい。
【０００９】
本発明による葉書利用方法において、
前記アドレス情報のＩＤ情報に対応された情報は、アドレス情報のＩＤ情報に対応された当落情報を含んでもよい。
【００１０】
本発明による葉書利用方法において、
前記アドレス情報のＩＤ情報に対応された情報は、アドレス情報のＩＤ情報に対応されたキャンペーンに応募するための情報を含んでもよい。
【００１１】
本発明による葉書利用方法において、
前記アドレス情報のＩＤ情報に対応された情報は、アドレス情報のＩＤ情報に対応されたデジタルコンテンツを前記コード読取装置にダウンロードするための情報を含んでもよい。
【００１２】
本発明による葉書利用方法において、
前記コード情報はＱＲコードからなってもよい。
【００１３】
本発明による葉書利用方法において、
前記コード読取装置は携帯電話からなってもよい。
【００１４】
本発明による葉書利用システムは、
所定地域に由来する物に対応する形状からなる地域葉書であって、ＩＤ情報を含むアドレス情報に対応するコード情報が印字された地域葉書と、
コード情報を読み取る読取部と、該読取部からコード情報のアドレス情報を受け取ることによって当該アドレス情報に対応するＷＥＢサイトに接続するＷＥＢ接続部と、ＷＥＢ接続部によって接続されたＷＥＢサイトが表示される表示部とを有するコード読取装置と、
前記アドレス情報に対応するＷＥＢサイトであって、所定地域に関する地域情報を有するＷＥＢサイトに関する情報が記憶された外部コンピュータと、
を備えている。
【００１５】
本発明による葉書利用システムにおいて、
前記ＷＥＢ接続部は、アドレス情報のＩＤ情報に対応された情報を有するＷＥＢサイトに接続してもよい。
【発明の効果】
【００１６】
本発明によれば、所定地域に由来する物に対応する形状からなる地域葉書であって、ＩＤ情報を含むアドレス情報に対応するコード情報が印字された地域葉書を利用する。そして、ＷＥＢ接続部と表示部を有するコード読取装置によって、コード情報を読み取ることで、前記所定地域に関する地域情報を有するＷＥＢサイトを表示することができる。このため、所定地域に由来する物に対応する形状からなる地域葉書を利用した葉書を利用することができ、かつ、当該所定地域に関する地域情報を有するＷＥＢサイトを容易に閲覧することができる。
【図面の簡単な説明】
【００１７】
【図１】本発明の実施の形態による葉書利用システムの構成を示す概略図。
【図２】本発明の実施の形態による葉書利用システムの携帯電話の構成の構成を示す概略図。
【図３】本発明の実施の形態による葉書利用方法で用いられるアドレス情報を説明するための概略図。
【図４】本発明の実施の形態による葉書利用方法の利用態様を説明するための概略図。
【図５】本発明の実施の形態による葉書利用システムで用いられる地域葉書を例示した図。
【発明を実施するための形態】
【００１８】
実施の形態
以下、本発明に係る葉書利用方法および葉書利用システムの実施の形態について、図面を参照して説明する。ここで、図１乃至図５は本発明の実施の形態を示す図である。
【００１９】
図１に示すように、葉書利用システムは、所定地域（例えば都道府県）に由来する物に対応する形状からなる地域葉書１０であって、ＩＤ情報を含むアドレス情報に対応するＱＲコード（コード情報）１１が印字された地域葉書１０と、携帯電話２０とを備えている。
【００２０】
このうち携帯電話２０は、図２に示すように、ＱＲコード１１を読み取る読取部２３と、当該読取部２３からＱＲコード１１に合致する（対応する）アドレス情報を受け取ることによって当該アドレス情報に対応するＷＥＢサイトに携帯電話２０を接続するＷＥＢ接続部２２と、ＷＥＢ接続部２２によって接続されたＷＥＢサイトが表示される表示部２１とを有している。なお、アドレス情報にはＩＤ情報が含まれているので、ＷＥＢ接続部２２は、ＩＤ情報に対応された情報（後述するように、クーポン情報、当落情報、キャンペーンに応募するための情報、デジタルコンテンツを携帯電話２０にダウンロードするための情報など）を有するＷＥＢサイトに携帯電話２０を接続することとなる。
【００２１】
また、図１に示すように、葉書利用システムは、ＱＲコード１１に合致するアドレス情報に対応するＷＥＢサイトであって、所定地域に関する地域情報を有するＷＥＢサイトに関する情報が記憶された外部コンピュータ３０も備えている。
【００２２】
外部コンピュータ３０は、商品を割り引いて購入することができるクーポン情報や、当たることによって景品がもらえる当落情報を有するＷＥＢサイトに関する情報を記憶していてもよい（図４（ａ）（ｂ）参照）。また、外部コンピュータ３０は、携帯電話２０がＷＥＢサイトに接続されることによって、キャンペーンに応募することができるＷＥＢサイトや、デジタルコンテンツを当該携帯電話２０にダウンロードすることができるＷＥＢサイトに関する情報を記憶していてもよい（図４（ｃ）（ｄ）参照）。
【００２３】
なお、ＱＲコード１１に対応するアドレス情報にはＩＤ情報が含まれている。このため、ＩＤ情報に対応させて、クーポン情報や当落情報を有するＷＥＢサイトに携帯電話２０を接続させて、表示部２１に当該ＷＥＢサイトの情報を表示させることができる。また、ＩＤ情報に対応させて、キャンペーンに応募するためのＷＥＢサイトや、デジタルコンテンツを携帯電話２０にダウンロードするためのＷＥＢサイトに携帯電話２０を接続させて、表示部２１に当該ＷＥＢサイトの情報を表示させることができる。
【００２４】
なお、所定地域（例えば都道府県）に由来する物に対応する形状からなる地域葉書１０としては、例えば、山梨県であれば「富士山」の形状からなる葉書（図５（ａ）参照）、山口県であれば「とらふぐ」の形状からなる葉書（図５（ｂ）参照）、北海道であれば「札幌時計台」の形状からなる葉書（図５（ｃ）参照）、愛媛県であれば「愛媛みかん」の形状からなる葉書（図５（ｄ）参照）、奈良県であれば「奈良の大仏」の形状からなる葉書（図５（ｅ）参照）、愛知県であれば「金の鯱」の形状からなる葉書（図５（ｇ）参照）、栃木県であれば「とちおとめ」の形状からなる葉書（図５（ｇ）参照）を用いることができる。
【００２５】
次に、このような構成からなる本実施の形態の作用について述べる。
【００２６】
まず、所定地域に由来する物に対応する形状からなる地域葉書１０であって、ＩＤ情報を含むアドレス情報に対応するコード情報１１が印字された地域葉書１０が準備される（図１および図５（ａ）−（ｇ）参照）。次に、葉書を送る送り主が、地域葉書１０を郵便局で購入する。
【００２７】
次に、購入された地域葉書１０に受取主に対するメッセージが記載されるとともに、受取主の住所、当該住所に対応する郵便番号および受取主の氏名が記載される。その後、当該地域葉書１０がポストに投函されて、郵便手段によって受取主に届けられる。
【００２８】
次に、受取主の携帯電話２０の読取部２３によって、地域葉書１０のＱＲコード１１が読み取られる（図１参照）。
【００２９】
次に、携帯電話２０のＷＥＢ接続部２２によって、当該携帯電話２０がＱＲコード１１に合致するアドレス情報に対応するとともに、所定地域に関する地域情報を有するＷＥＢサイトに接続される（図１参照）。
【００３０】
このとき、携帯電話２０は、ＷＥＢ接続部２２によって、アドレス情報のＩＤ情報に対応されたクーポン情報を有するＷＥＢサイトに接続されてもよい（図４（ａ）参照）。また、携帯電話２０は、ＷＥＢ接続部２２によってアドレス情報のＩＤ情報に対応された当落情報を有するＷＥＢサイトに接続されてもよい（図４（ｂ）参照）。また、携帯電話２０は、ＷＥＢ接続部２２によって、アドレス情報のＩＤ情報に対応されたキャンペーンに応募するための情報を有するＷＥＢサイトに接続されてもよい（図４（ｃ）参照）。携帯電話２０は、ＷＥＢ接続部２２によって、アドレス情報のＩＤ情報に対応されたデジタルコンテンツを携帯電話２０にダウンロードするための情報を有するＷＥＢサイトに接続されてもよい（図４（ｄ）参照）。
【００３１】
本実施の形態では、ＱＲコード１１が固有のＩＤ情報（図３（ａ）−（ｃ）で言うと、下線を引いた1234567890（図３（ａ）参照）、12345678901（図３（ｂ）参照）、123456789012（図３（ｃ）参照））を有しているので、ＩＤ情報毎に対応した処理を行うことができる。
【００３２】
より具体的には、ＩＤ情報毎に内容の異なるクーポン情報を有するＷＥＢサイト（例えば、1234567890だと５％ＯＦＦ、12345678901だと１０％ＯＦＦ、123456789012だと２０％ＯＦＦとなるＷＥＢサイト）に接続されたり（図４（ａ）参照）、ＩＤ情報毎に内容の異なる当落情報を有するＷＥＢサイト（例えば、1234567890および12345678901だと「外れ」、123456789012だと「当たり」となるＷＥＢサイト）に接続されたりしてもよい（図４（ｂ）参照）。また、ＩＤ情報毎に内容の異なる（1234567890、12345678901および123456789012の各々で内容の異なる）キャンペーンに応募することができるＷＥＢサイトに接続されたり（図４（ｃ）参照）、ＩＤ情報毎に内容の異なる（1234567890、12345678901および123456789012の各々で内容の異なる）デジタルコンテンツをダウンロードすることができるＷＥＢサイトに接続されたりしてもよい（図４（ｄ）参照）。
【００３３】
なお、最初にクーポン情報を有するＷＥＢサイト、当落情報を有するＷＥＢサイト、キャンペーンに応募するためのＷＥＢサイトまたはデジタルコンテンツをダウンロードするためのＷＥＢサイトに接続されて、その後で、所定地域に関する地域情報を有するＷＥＢサイトに接続されてもよいし、逆に、最初に所定地域に関する地域情報を有するＷＥＢサイトに接続されて、その後で、最初にクーポン情報を有するＷＥＢサイト、当落情報を有するＷＥＢサイト、キャンペーンに応募するためのＷＥＢサイトまたはデジタルコンテンツをダウンロードするためのＷＥＢサイトに接続されてもよい。
【００３４】
上述のように、ＷＥＢ接続部２２によって携帯電話２０がＷＥＢサイトに接続されると、携帯電話２０の表示部２１によってＷＥＢサイトが表示される。このとき、接続された先のＷＥＢサイトが表示されることとなるので、アドレス情報のＩＤ情報に対応して、クーポン情報を有するＷＥＢサイトや当落情報を有するＷＥＢサイトが表示されたり、キャンペーンに応募されたことや、デジタルコンテンツが当該携帯電話２０にダウンロードされたことが表示されたりすることとなる。
【００３５】
上述のように本実施の形態によれば、所定地域（例えば都道府県）に由来する物に対応する形状からなる地域葉書１０を利用する（図５（ａ）−（ｇ）参照）。このため、葉書の送り主は、所定地域に由来する物に対応する形状からなる地域葉書１０を受取人に送付することができ、絵葉書に代わる地域特有（例えば都道府県特有）の葉書を受取人に送付することができる。
【００３６】
また、地域葉書１０には、ＩＤ情報を含むアドレス情報に対応するＱＲコード（コード情報）１１が印字されている。このため、受取人は、携帯電話（コード読取装置）２０によって、ＱＲコード１１を読み取ることで、地域葉書１０に対応した所定地域に関する地域情報を有するＷＥＢサイトに携帯電話２０を接続することができ、当該ＷＥＢサイトを表示部２１で表示することができる。この結果、地域葉書１０の受取人は、当該所定地域に関する地域情報を有するＷＥＢサイトを容易に閲覧することができ、有益な情報を受け取ることができる。
【００３７】
他方、このように地域葉書１０の受取人が所定地域に関する地域情報を有するＷＥＢサイトを閲覧することによって、当該ＷＥＢサイトが閲覧される頻度が高くなる。このため、当該所定地域を訪れようと考える人が増加することを期待することができ、ひいては、地域活性化を期待することができる。
【００３８】
さらに、アドレス情報にはＩＤ情報が含まれているので、ＩＤ情報毎に内容の異なるＷＥＢサイトに携帯電話２０を接続させることができる。このため、例えば、内容の異なるクーポン情報を有するＷＥＢサイトや、内容の異なる当落情報を有するＷＥＢサイトを表示部２１に表示させたりすることができ、地域葉書１０の受取人はゲーム感覚を楽しむことができる。また、例えば、内容の異なるキャンペーンに応募したり、内容の異なるデジタルコンテンツを当該携帯電話２０にダウンロードしたりすることができるようになり、多様性に富んだ運用を行うことができる。
【符号の説明】
【００３９】
１０      地域葉書
１１      ＱＲコード１１（コード情報）
２０      携帯電話（コード読取装置）
２１      表示部
２２      ＷＥＢ接続部
２３      読取部
３０      外部コンピュータ
【図１】
2011013826.tif 000003
【図２】
2011013826.tif 000004
【図３】
2011013826.tif 000005
【図４】
2011013826.tif 000006
【図５】
2011013826.tif 000007